(57)【要約】【課題】  多段状のラックユニットの安定性を図る場合に、メンテナンスが容易なラックユニット接続金具を提供し、またフォークリフトを用いて、「ネステナー」にパレットを載せる際に、パレット等が当たることのない接続金具を提供すること。【解決手段】  ラックユニット金具１は、上下左右に配置されている４台のラックユニットＲ１〜Ｒ４に対し、図２のように下段のラックユニットＲ１、Ｒ２の隣接する略ロ字状桟部６、６について、各縦桟６０、６０の下面６１、６１を支持する下面支持部２と上段のラックユニットＲ３、Ｒ４の隣接する略コ字状桟部桟部７、７について、各縦桟７０、７０の上面７１、７１に当接する上面当接部３と前記上面当接部３に固定された連結片４を備える。前記連結片４の先端部４０には係止孔４１が形成され、この係止孔４１に係止される係止手段４２を介して前記下面支持部２と上面当接部３によりラックユニットＲ１〜Ｒ４が接続される。【選択図】図２
2017149524.tif 000002
【特許請求の範囲】
【請求項１】
略ロ字状の桟部、略コ字状の桟部及びこれらの桟部を支持する柱部を備えたラックユニットが、それぞれ上下左右に配置されている状態において、下段の２台のラックユニットの隣接する前記略ロ字状桟部の下面を支持する下面支持部と、上段の２台のラックユニットの隣接する前記略コ字状桟部の上面に当接する上面当接部と、これら下面支持部及び上面当接部を連結する連結片を備えたラックユニット接続金具。
【請求項２】
前記連結片は、上面当接部に固定されていると共に、前記連結片の先端部には係止孔が形成され、前記下面支持部には前記係止孔を臨ませる挿通孔が形成され、前記係止孔に係止される係止手段を介して、前記上面当接部と下面支持部が着脱されることを特徴とする請求項１のラックユニット接続金具。
【請求項３】
略ロ字状の桟部、略コ字状の桟部及びこれらの桟部を支持する柱部を備えたラックユニットが、それぞれ上下左右に配置されている４台のラックユニットに対して、
下段の２台のラックユニットの隣接する前記略ロ字状桟部の下面を下面支持部で支持し、上段の２台のラックユニットの隣接する前記略コ字状桟部の上面を上面当接部で当接させて、前記上面当接部及び下面支持部が連結片で連結されていることを特徴とするラックユニット接続金具を用いたラックユニットの接続構造。
【請求項４】
略ロ字状の桟部、略コ字状の桟部及びこれらの桟部を支持する柱部を備えたラックユニットが、それぞれ上下左右に配置されている４台のラックユニットに対する接続方法であり、
上段の２台のラックユニットの隣接する前記略コ字状の桟部間に、上面当接部に固定されている連結片を差し込み、
下段の２台のラックユニットの隣接する前記略ロ字状の桟部の下面に下面支持部を押当てつつ、その下面支持部の挿通孔に前記連結片の先端部を通して係止孔を臨ませ、
前記係止孔に係止手段を係止することを特徴とするラックユニット接続金具を用いたラックユニットの接続方法。
【請求項５】
前記上面当接部には、前記連結片とは反対方向に延在する延在片が形成されていることを特徴とする請求項２に記載のラックユニット接続金具。
【請求項６】
略ロ字状の桟部、略コ字状の桟部及びこれらの桟部を支持する柱部を備えたラックユニットの４台を１組のラックユニットとし、この１組のラックユニットと同様の他組のラックユニットを、前記略コ字状の桟部の各横桟を隣接させて各組のラックユニットを背中合わせに配置した８台のラックユニットに対して、
前記各組の下段の２台のラックユニットの隣接する前記略ロ字状桟部の下面が下面支持部で支持され、上段の２台のラックユニットの隣接する前記略コ字状桟部の上面が上面当接部で当接され、連結片で前記上面当接部及び下面支持部が連結され、且つ、前記上面当接部に形成されている延在片を介して各組を接続したことを特徴とするラックユニット接続金具を用いたラックユニット接続構造。
【発明の詳細な説明】
【技術分野】
【０００１】
本発明は、物品を収納する棚を備えた１台のラックとしてのラックユニットが多段に組立てられる場合に、４台のラックユニットを接続できるラックユニット接続金具、同金具により接続されるラックユニットの接続構造及び同金具を用いるラックユニットの接続方法に関する。
【背景技術】
【０００２】
商品等の物品を収納し、保管する場合に使用されるラックユニットとして、スチールパレットの「ネステナー」が物流業界等で広く知られている。
この「ネステナー」の使用時には多段に組立てることができること、不使用時には積重ねができることで、限られたスペースを有効に活用できるラックとして物流倉庫等で使われている。
この「ネステナー」には、下部に棚板が設けられ、上部が開放された正ネステナーと、下部が開放されてパレット等を介して商品を直置でき、上部に天板が設けられている逆ネステナーとがあるが、本書では、正逆ネステナーを問わずに単に「ネステナー」と記載する場合がある。
【０００３】
これらの「ネステナー」において解決されるべき課題の一つは、多段に組立てられた「ネステナー」が安定して倉庫等に配置されていない場合、各「ネステナー」に外力が加えられると、それぞれの「ネステナー」に収納されている商品が落下したり、落下して破損する恐れがあったこと、さらに各「ネステナー」に更に強く外部から力が加えられると、そのバランスを失って転倒すること等も起りえることであり、これらの懸念は、地震等の際に特に問題となる。
【０００４】
かかる課題を解決するために、従来より種々の技術的工夫が図られている。
例えば、特許文献１では、物品５を載置したパレット６を保持するように形成した多段状の収納ラック１において、上記パレット６を保持する部位７に地震などによって起る振動を吸収することができるようなクッション体１０を分散状又は面状に配置することが行われている（同文献１の図１参照）。
同様の構成は、特許文献２においても開示されている。
【０００５】
かかる構成では、「物品をパレットに載せた状態で収納ラック又は収納枠体のパレットを保持する部位に収納し載置すると、このパレットをクッション体が下方よりグリップするように支持するようになるので、地震が起ったときにもその揺れを充分に吸収して、パレットが移動したり落ちたりして収納されている物品が落下したり、壊れたりするようなことを確実に防止することができるとされている」（特許文献１の段落０００９）。
【０００６】
しかし、これらの従来技術では、商品の落下、破損を防ぐことができたとしても、収納ラック又は収納枠体自体の安定性を図る技術は開示されていない。
出願人は、従来から多段状の「ネステナー」の安定性を図るために、上下左右の「ネステナー」を布製のベルトを用いて結束したり、金属製のベルトで接続することとしていた。
しかし、これらのバンドを用いた「ネステナー」の接続方法では、フォークリフトを用いて、「ネステナー」にパレットを載せる際に、パレットの端部がバンドに当たる場合（詳細は後述）があり、経年によりバンドの傷みが進むことから、そのバンドの交換等のメンテナンスが必要であった。
【０００７】
また、「ネステナー」へのパレットの出し入れの際には、パレットがベルトに引っかからないように、フォークリフトの運転に神経を使う必要があった。
さらに、「ネステナー」が３段に組立てられている場合には、３段目の「ネステナー」に取り付けられているバンドは、視認し難く、また高所であることからメンテナンスに手間がかかっていた。
【先行技術文献】
【特許文献】
【０００８】
【特許文献１】特開２０１２−２２９１２７号公報
【特許文献２】特開２０１１−２１９２７５号公報
【発明の概要】
【発明が解決しようとする課題】
【０００９】
そこで、本出願人は、多段状の「ネステナー」の安定性を図る場合に、メンテナンスが容易なラックユニット接続金具を提供し、またフォークリフトを用いて、「ネステナー」にパレットを載せる際に、パレット等が当たることのないラックユニット接続金具を提供することを目的とする。
【課題を解決するための手段】
【００１０】
本願発明は、略ロ字状の桟部、略コ字状の桟部及びこれらの桟部を支持する柱部を備えたラックユニットが、それぞれ上下左右に配置されている状態において、下段の２台のラックユニットの隣接する前記略ロ字状桟部の下面を支持する下面支持部と、上段の２台のラックユニットの隣接する前記略コ字状桟部の上面に当接する上面当接部と、これら下面支持部及び上面当接部を連結する連結片を備えたラックユニット接続金具とした（請求項１に記載の発明）。
本発明では、前記連結片は下面支持部又は上面当接部の何れかに固定されることとなる。
【００１１】
上記発明において、前記連結片は、上面当接部に固定されていると共に、前記連結片の先端部には係止孔が形成され、前記下面支持部には前記係止孔を臨ませる挿通孔が形成され、前記係止孔に係止される係止手段を介して、前記上面当接部と下面支持部が着脱されることを特徴とするラックユニット接続金具とした（請求項２の発明）。
【００１２】
本願発明は、略ロ字状の桟部、略コ字状の桟部及びこれらの桟部を支持する柱部を備えたラックユニットが、それぞれ上下左右に配置されている４台のラックユニットに対して、
下段の２台のラックユニットの隣接する前記略ロ字状桟部の下面を下面支持部で支持し、上段の２台のラックユニットの隣接する前記略コ字状桟部の上面を上面当接部で当接させて、前記上面当接部及び下面支持部が連結片で連結されていることを特徴とするラックユニット接続金具を用いたラックユニットの接続構造とした（請求項３の発明）。
【００１３】
本願発明は、略ロ字状の桟部、略コ字状の桟部及びこれらの桟部を支持する柱部を備えたラックユニットが、それぞれ上下左右に配置されている４台のラックユニットに対する接続方法であり、
上段の２台のラックユニットの隣接する前記略コ字状の桟部間に、上面当接部に固定されている連結片を差し込み、
下段の２台のラックユニットの隣接する前記略ロ字状の桟部の下面に下面支持部を押当てつつ、その下面支持部の挿通孔に前記連結片の先端部を通して係止孔を臨ませ、
前記係止孔に係止手段を係止することを特徴とするラックユニット接続金具を用いたラックユニットの接続方法とした（請求項４の発明）。
【００１４】
上記発明において、前記上面当接部には、前記連結片とは反対方向に延在する延在片が形成されていることを特徴とするラックユニット接続金具とした（請求項５の発明）。
【００１５】
略ロ字状の桟部、略コ字状の桟部及びこれらの桟部を支持する柱部を備えたラックユニットの４台を１組のラックユニットとし、この１組のラックユニットと同様の他組のラックユニットを、前記略コ字状の桟部の各横桟を隣接させて各組のラックユニットを背中合わせに配置した８台のラックユニットに対して、
前記各組の下段の２台のラックユニットの隣接する前記略ロ字状桟部の下面が下面支持部で支持され、上段の２台のラックユニットの隣接する前記略コ字状桟部の上面が上面当接部で当接され、連結片で前記上面当接部及び下面支持部が連結され、且つ、前記上面当接部に形成されている延在片を介して各組を接続したことを特徴とするラックユニット接続金具を用いたラックユニット接続構造とした（請求項６の発明）。
【発明の効果】
【００１６】
本願発明のラックユニット接続金具によれば、下面支持部と上面当接部とこれら下面支持部及び上面当接部を連結する連結片を備えているので、フォークリフトを用いて、「ネステナー」にパレットを載せる際に、パレットの端部が前記金具に当たることがなく、またメンテナンスが容易な状態で、多段状の「ネステナー」の安定性を図ることができる。
また、前記連結片の係止孔に係止される係止手段を介して、前記上面当接部と下面支持部が着脱されることから、ラックユニットを多段に組立る毎に、反復して使用できるラックユニット接続金具となっている。
さらに、４台のラックユニットを同時に、且つ、一時に接続することができるラックユニット接続金具となっている。
【図面の簡単な説明】
【００１７】
【図１】図１は、４台のラックユニットが本発明に係るラックユニット接続金具（以下、単に接続金具又は金具とも称する）により、接続された状態を示す斜視図、
【図２】図２は、ラックユニットの各台と接続金具を分解し、さらに接続金具のみを拡大して示した斜視図、
【図３】図３は、接続金具を構成する下面支持部の正面図及び平面図、
【図４】図４は、同上面当接部の正面図、側面図及び底面図、
【図５】図５は、４台のラックユニットの各桟部の縦桟が接続金具により接続された状態を示す要部断面図、
【図６】図６は、別例に係る接続金具の正面図及び側面図、
【図７】図７は、同金具を構成する上面当接部の正面図及び平面図、
【図８】図８は、同金具を構成する下面支持部の平面図、正面図及び側面図、
【図９】図９は、８台のラックユニットが同金具により、接続された状態を示す斜視図である。
【発明を実施するための形態】
【００１８】
本発明に係る接続金具１は、図１のように、上下左右に配置されている４台のラックユニットＲ１〜Ｒ４を接続して各ラックユニットＲの安定化を図るもので、図２のように、下段の２台のラックユニットＲ１、Ｒ２の隣接する略ロ字状の桟部６、６について、各縦桟６０、６０の下面６１、６１を支持する下面支持部２と、上段の２台のラックユニットＲ３、Ｒ４の隣接する略コ字状桟部の桟部７、７について、各縦桟７０、７０の上面７１、７１に当接する上面当接部３と、前記下面支持部２及び上面当接部３を連結する連結片４を備える。
前記連結片４の先端部４０には係止孔４１が形成され、この係止孔４１に係止される係止手段４２を介して、前記下面支持部２と上面当接部３が前記桟部６、６及び前記桟部７、７を挟込み、ラックユニットＲ１〜Ｒ４を接続するようになっている。
なお、以下において、上記各構成をなす各要素は、同一名称又は同一符号で示すと共に、略同一に図示するものとし、重複した説明は避けることとする。
【００１９】
図３に図示するように、前記下面支持部２は、前記各縦桟６０、６０の下面６１、６１を支持する本体片２０と、前記係止孔４１を臨ませるため、本体片２０の中央に形成される挿通孔２１と、本体片２０の両端から上方に立設される立設片２２、２２からなる。
【００２０】
前記本体片２０の長手方向の幅は、ラックユニットＲの不使用時に多段に積重ねることができる「ネステナー」の構造に対応させて、４本の縦桟６０、６０及び縦桟７０、７０の幅若しくはそれより若干大きく形成されている（図５参照）。
前記立設片２２、２２は、前記各縦桟６０、６０の側面６２、６２に当接可能にさせるもので（図５参照）、下段の２台のラックユニットＲ１、Ｒ２を確実に接続できるようにするものである。
【００２１】
前記上面当接部３は、図４及び図５に図示するように、その長手方向の幅が各縦桟７０、７０の上面７１．７１の幅より幅狭に形成されていると共に、前記連結片４は前記上面当接部３の略中央にその一端が固定されている。
よって、ラックユニットＲ１〜Ｒ４へのパレットの出し入れの際には、パレットが前記金具１に引っかかる場合がなく、その際のフォークリフトの運転に神経を使う必要がなくなる。
【００２２】
前記連結片４の長手方向の長さは、図４及び図５に図示するように、前記上面当接部３を各縦桟７０、７０の上面７１．７１に当接させた場合に、前記下面支持部２が各縦桟６０、６０の下面６１．６１を支持した状態で、前記係止手段４２を前記係止孔４１に係止させることができるような寸法であればよい。
【００２３】
前記係止手段４２は、前記係止孔４１に着脱自在に仮止めできる部材であればよい。例えば前記係止孔４１に係止されるボルト状の頭を備えた部材と、この部材を前記係止孔４１に仮止めできるピン等でもよい。
即ち、多段に組立てられるラックユニットＲを迅速に前記金具１で接続できるようにするため、また多段を崩してラックユニットＲを重ね積みする場合に、前記金具１の下面支持部２と上面当接部３を迅速に切離すことができるように、前記下面支持部２と上面当接部３を着脱自在に構成できるものであればよい。
【００２４】
前記ラックユニットＲは、図２等に示されているように、その前記略ロ字状の桟部６と略コ字状の桟部７は柱部８により支持されて構成されていると共に、不使用時のラックユニットＲを積重ねることができるように、略コ字状の桟部７は前記略ロ字状の桟部６に対して幅広に形成されている。
よって、上述のように下段の２台のラックユニットＲ１、Ｒ２を隣接させて配置した場合に、前記本体片２０の幅は、４本分の縦桟６０、７０の幅に対応させている。
なお、前記ラックユニットＲ１〜Ｒ４は、略コ字状の桟部７により開口７２が形成されて、パレットを直置きできる「逆ネステナー」に相当するものであるが、前記ラックユニットＲとしては、「逆ネステナー」に限定されるものではない。
前記ラックユニットＲの寸法は種々であるが、図示のラックユニットＲ１〜Ｒ４は、概ね幅約１．３メートル、奥行約１．２メートル及び高さ約２メートルの寸法であって、これらのラックユニットＲが前記開口７２を揃えて２列で櫛歯状に配置され、４台のラックユニットＲ１〜Ｒ４毎に前記金具１により接続することができる。
【００２５】
上記接続金具１の作用効果を纏めると次の通りである。
（１）  多段にラックユニットＲを組立て、前記金具１により４台のラックユニットを接続した場合には、前記金具１が高所にセットされている場合を含めて、そのメンテナンスを軽減させることができる。
（２）  ラックユニットＲへのパレットの出し入れの際には、パレットが前記金具１に引っかかる場合がなく、この点でフォークリフトの運転に神経を使う必要がなくなる。
（３）  ラックユニットＲへの前記金具１のセットは、ラックユニットＲに配置されているパレット等に邪魔されることなく、その取付け、取外しの作業が容易である。
（４）  ４台のラックユニットＲを、前記金具１の一度のセットにより連結することができる。
（５）  一台の前記金具１により４台のラックユニットＲの安定を図ることができる。
（６）  多段のラックユニットＲをくずして前記金具１を取外した場合であっても、再度、ラックユニットＲを組立てる場合には、前記金具１を反復使用できる。
【００２６】
次に、前記金具１による４台のラックユニットＲ１〜Ｒ４に対する接続構造を、図５に基づいて説明する。
この接続構造は、下段の２台のラックユニットＲ１、Ｒ２の隣接する前記略ロ字状桟部６の縦桟６０が前記下面支持部２で支持し、上段の２台のラックユニットＲ３、Ｒ４の隣接する略コ字状桟部７の上面７１が前記上面当接部３で当接され、前記連結片４により下面当接部２及び上面支持部３が連結されているラックユニットＲの接続構造となっている。
図５において、符号Ｂは、従来技術のバンドを示すもので、このバンドＢを用いた場合には、パレットの端部がバンドに当たることとなるが、上記接続構造では、パレットの端部が前記略ロ字状桟部６に載せられても、パレットが前記金具１に当たることはない。
【００２７】
よって、前記接続構造では、上述の作用効果と同様に、前記金具１がパレット等で毀損されることがなく、金具１のメンテナンスを軽減させることができ、ラックユニットＲへのパレットの出し入れの際には、パレットが前記金具１により引っかかる場合がなくなる。
また、ラックユニットＲへの前記金具１のセットは、その金具１がパレットに接することがないことから、その取付け、取外しの作業が容易である。
さらに、前記金具１の一度のセットにより、４台のラックユニットＲ１〜Ｒ４の安定を図ることができる。
【００２８】
次に、前記金具１を用いて４台のラックユニットＲ１〜Ｒ４を連結する接続方法について、上記各図に基づいて説明する。
前記略コ字状桟部７の各開口７２、７２が同一方向に揃えられて、上下左右に４台のラックユニットＲ１〜Ｒ４が配置されることを前提とする。
かかる状態において、上段の２台のラックユニットＲ３、Ｒ４の縦桟７０．７０間に、前記上面当接部３に固定されている連結片４を差し込む。
次に、下段の２台のラックユニットＲ１、Ｒ２の隣接する縦桟６０、６０の下面６１、６１を前記下面支持部２で保持しつつ、その下面支持部２の挿通孔２１に前記連結片４の先端部４０を通し、前記係止孔４１を前記下面支持部２の下方に臨ませる。
その後、前記係止孔４１に係止手段４２を係止させる。
【００２９】
この固定方法によれば、上記構成の作用効果に加え、
（７）  前記上面当接部３の連結片４をラックユニットＲ３、Ｒ４の縦桟７０．７０間に差し込んだ後は、前記上面当接部３は縦桟７０．７０に当接しているので、前記上面当接部３を押さえておく必要はなく、前記係止孔４１に対する係止手段４２の係止作業を行うことができる。
（８）  ４台のラックユニットＲ１〜Ｒ４に対し、一台の前記金具１のセット作業のみで、ラックユニットＲ１〜Ｒ４を接続することができる。
（９）  前記係止手段４２は、前記係止孔４１に着脱自在に仮止めできる部材により構成されているので、ラックユニットＲ１〜Ｒ４の接続を解消する方法も容易である。
【００３０】
別例に係るラックユニット用接続金具１Ａの構成例を説明する。
図６〜図８に図示したように、この金具１Ａが前記金具１と異なる点は、前記上面当接部３には、前記連結片４とは反対方向に延在する延在片５が形成されていること、前記下面支持部２の本体片２０の各側端に金具１Ａの強度を高めるため、補強ヒレ（リブ）２３を形成し、一方で前記金具１Ａの軽量化を図ったことである。
【００３１】
次に、図９に基づき、前記金具１Ａを用いて８台のラックユニットＲを接続する接続構造を説明する。
図９のように、前記ラックユニットＲ１〜Ｒ４からなる１組のラックユニットＳＲと、この１組のラックユニットＳＲと同様の１組のラックユニットＳＲがそれぞれ前記金具１Ａを用いて接続され、且つ、前記桟部７、７の各横桟７３、７３を隣接させて各組のラックユニットＳＲが背中合わせに配置されている。
かかる配置において、前記金具１Ａに形成されている前記上面当接部３の各延在片５には接続孔５０が設けられ、これらの接続孔５０を介して、接続ベルト５１を用いて、各組ＳＲを接続すればよい。
よって、上記各効果に加えて、２台の金具１Ａにより８台のラックユニットＲの安定を図ることができる。
【００３２】
本発明は、以上説明した実施形態に限定されるものではなく、多くの変形が本発明の技術的思想内で当分野において、通常の知識を有する者により可能である。
【符号の説明】
【００３３】
１  １Ａ  接続金具
２  下面支持部                          ２０  本体片
２１  挿通孔                            ２２  立設片
２３  補強ヒレ
３  上面当接部
４  連結片                              ４０  先端部
４１  係止孔                            ４２  係止手段
５  延在片                              ５０  接続孔
５１  接続ベルト
６  略ロ字状の桟部                      ６０  縦桟
６１  下面                              ６２  側面
７  略コ字状の桟部                      ７０  縦桟
７１  上面                              ７２  開口
７３  横桟
Ｒ  Ｒ１〜Ｒ４  ラックユニット
Ｓ  Ｒ  一組のラックユニット
【図１】
2017149524.tif 000003
【図２】
2017149524.tif 000004
【図３】
2017149524.tif 000005
【図４】
2017149524.tif 000006
【図５】
2017149524.tif 000007
【図６】
2017149524.tif 000008
【図７】
2017149524.tif 000009
【図８】
2017149524.tif 000010
【図９】
2017149524.tif 000011
【手続補正書】
【提出日】平成29年3月7日(2017.3.7)
【手続補正１】
【補正対象書類名】特許請求の範囲
【補正対象項目名】全文
【補正方法】変更
【補正の内容】
【特許請求の範囲】
【請求項１】
略ロ字状の桟部、略コ字状の桟部及びこれらの桟部を支持する柱部を備えたラックユニットが、それぞれ上下左右に配置されている状態において、下段の２台のラックユニットの隣接する前記略ロ字状桟部の下面を支持する下面支持部と、上段の２台のラックユニットの隣接する前記略コ字状桟部の上面に当接する上面当接部と、これら下面支持部及び上面当接部を連結する連結片を備え、前記連結片は、上面当接部に固定されていると共に、前記連結片の先端部には係止孔が形成され、前記下面支持部には前記係止孔を臨ませる挿通孔が形成され、前記係止孔に係止される係止手段を介して、前記上面当接部と下面支持部が着脱されるラックユニット接続金具であって、
このラックユニット接続金具に接続される前記ラックユニットの４台を１組のラックユニットとし、この１組のラックユニットと同様の他組のラックユニットを、前記略コ字状の桟部の各横桟を隣接させて各組のラックユニットを背中合わせに配置した８台のラックユニットに対して、
前記各組を接続するため、前記上面当接部には、前記連結片とは反対方向に延在する延在片が形成されると共に、その延在片には各組を接続べルトを用いて接続するための接続孔が設けられていることを特徴とするラックユニット接続金具。
【請求項２】
略ロ字状の桟部、略コ字状の桟部及びこれらの桟部を支持する柱部を備えたラックユニットが、それぞれ上下左右に配置されている４台のラックユニットに対して、
下段の２台のラックユニットの隣接する前記略ロ字状桟部の下面を下面支持部で支持し、上段の２台のラックユニットの隣接する前記略コ字状桟部の上面を上面当接部で当接させて、前記上面当接部及び下面支持部が連結片で連結されていることを特徴とする請求項1に記載のラックユニット接続金具を用いたラックユニットの接続構造。
【請求項３】
略ロ字状の桟部、略コ字状の桟部及びこれらの桟部を支持する柱部を備えたラックユニットが、それぞれ上下左右に配置されている４台のラックユニットに対する接続方法であり、
上段の２台のラックユニットの隣接する前記略コ字状の桟部間に、上面当接部に固定されている連結片を差し込み、
下段の２台のラックユニットの隣接する前記略ロ字状の桟部の下面に下面支持部を押当てつつ、その下面支持部の挿通孔に前記連結片の先端部を通して係止孔を臨ませ、
前記係止孔に係止手段を係止することを特徴とする請求項1に記載のラックユニット接続金具を用いたラックユニットの接続方法。
【請求項４】
略ロ字状の桟部、略コ字状の桟部及びこれらの桟部を支持する柱部を備えたラックユニットの４台を１組のラックユニットとし、この１組のラックユニットと同様の他組のラックユニットを、前記略コ字状の桟部の各横桟を隣接させて各組のラックユニットを背中合わせに配置した８台のラックユニットに対して、
前記各組の下段の２台のラックユニットの隣接する前記略ロ字状桟部の下面が下面支持部で支持され、上段の２台のラックユニットの隣接する前記略コ字状桟部の上面が上面当接部で当接され、連結片で前記上面当接部及び下面支持部が連結され、且つ、前記上面当接部に形成されている延在片を介して各組を接続したことを特徴とする請求項1に記載のラックユニット接続金具を用いたラックユニット接続構造。
【手続補正２】
【補正対象書類名】明細書
【補正対象項目名】００１０
【補正方法】変更
【補正の内容】
【００１０】
本願発明は、  略ロ字状の桟部、略コ字状の桟部及びこれらの桟部を支持する柱部を備えたラックユニットが、それぞれ上下左右に配置されている状態において、下段の２台のラックユニットの隣接する前記略ロ字状桟部の下面を支持する下面支持部と、上段の２台のラックユニットの隣接する前記略コ字状桟部の上面に当接する上面当接部と、これら下面支持部及び上面当接部を連結する連結片を備え、前記連結片は、上面当接部に固定されていると共に、前記連結片の先端部には係止孔が形成され、前記下面支持部には前記係止孔を臨ませる挿通孔が形成され、前記係止孔に係止される係止手段を介して、前記上面当接部と下面支持部が着脱されるラックユニット接続金具である。
【手続補正３】
【補正対象書類名】明細書
【補正対象項目名】００１１
【補正方法】変更
【補正の内容】
【００１１】
このラックユニット接続金具に接続される前記ラックユニットの４台を１組のラックユニットとし、この１組のラックユニットと同様の他組のラックユニットを、前記略コ字状の桟部の各横桟を隣接させて各組のラックユニットを背中合わせに配置した８台のラックユニットに対して、
前記各組を接続するため、前記上面当接部には、前記連結片とは反対方向に延在する延在片が形成されると共に、その延在片には各組を接続べルトを用いて接続するための接続孔が設けられていることを特徴とするラックユニット接続金具とした(以上、請求項１の発明)。
【手続補正４】
【補正対象書類名】明細書
【補正対象項目名】００１２
【補正方法】変更
【補正の内容】
【００１２】
本願発明は、略ロ字状の桟部、略コ字状の桟部及びこれらの桟部を支持する柱部を備えたラックユニットが、それぞれ上下左右に配置されている４台のラックユニットに対して、下段の２台のラックユニットの隣接する前記略ロ字状桟部の下面を下面支持部で支持し、上段の２台のラックユニットの隣接する前記略コ字状桟部の上面を上面当接部で当接させて、前記上面当接部及び下面支持部が連結片で連結されていることを特徴とする請求項1に記載のラックユニット接続金具を用いたラックユニットの接続構造とした（請求項２の発明）。
【手続補正５】
【補正対象書類名】明細書
【補正対象項目名】００１３
【補正方法】変更
【補正の内容】
【００１３】
本願発明は、略ロ字状の桟部、略コ字状の桟部及びこれらの桟部を支持する柱部を備えたラックユニットが、それぞれ上下左右に配置されている４台のラックユニットに対する接続方法であり、
上段の２台のラックユニットの隣接する前記略コ字状の桟部間に、上面当接部に固定されている連結片を差し込み、
下段の２台のラックユニットの隣接する前記略ロ字状の桟部の下面に下面支持部を押当てつつ、その下面支持部の挿通孔に前記連結片の先端部を通して係止孔を臨ませ、
前記係止孔に係止手段を係止することを特徴とする請求項1に記載のラックユニット接続金具を用いたラックユニットの接続方法とした（請求項３の発明）。
【手続補正６】
【補正対象書類名】明細書
【補正対象項目名】００１４
【補正方法】変更
【補正の内容】
【００１４】
略ロ字状の桟部、略コ字状の桟部及びこれらの桟部を支持する柱部を備えたラックユニットの４台を１組のラックユニットとし、この１組のラックユニットと同様の他組のラックユニットを、前記略コ字状の桟部の各横桟を隣接させて各組のラックユニットを背中合わせに配置した８台のラックユニットに対して、
前記各組の下段の２台のラックユニットの隣接する前記略ロ字状桟部の下面が下面支持部で支持され、上段の２台のラックユニットの隣接する前記略コ字状桟部の上面が上面当接部で当接され、連結片で前記上面当接部及び下面支持部が連結され、且つ、前記上面当接部に形成されている延在片を介して各組を接続したことを特徴とする請求項1に記載のラックユニット接続金具を用いたラックユニット接続構造とした（請求項４の発明）。
【手続補正７】
【補正対象書類名】明細書
【補正対象項目名】００１５
【補正方法】変更
【補正の内容】
【００１５】
本願発明のラックユニット接続金具によれば、下面支持部と上面当接部とこれら下面支持部及び上面当接部を連結する連結片を備えているので、フォークリフトを用いて、「ネステナー」にパレットを載せる際に、パレットの端部が前記金具に当たることがなく、またメンテナンスが容易な状態で、多段状の「ネステナー」の安定性を図ることができる。
また、前記連結片の係止孔に係止される係止手段を介して、前記上面当接部と下面支持部が着脱されることから、ラックユニットを多段に組立る毎に、反復して使用できるラックユニット接続金具となっている。
さらに、４台のラックユニットを同時に、且つ、一時に接続することができるラックユニット接続金具となっている。
【手続補正８】
【補正対象書類名】明細書
【補正対象項目名】００１６
【補正方法】変更
【補正の内容】
【００１６】
上記各効果に加えて、２台の金具により８台のラックユニットの安定を図ることができる。